(57)【要約】【課題】 従来の接着式インデックスは、素材によっては、取り付けが困難であり、又は接着により取り外した際に汚れが残る等の問題点がある。  例えば封筒やクリアファイル等に見出し等をするには、接着性インデックスを使用する事が出来るが、封筒やクリアファイル等の素材によっては、接着力が十分に達しなかったり、強接着のため取り外しにより汚損することがある。  【解決手段】本発明は、用紙又は、フィルムの折り返し部分に介挿、下懸、挟持させて用いるインデックスであって、フィルム状又は、シート状の素材に切り込みによる差し込み部を有し、前記素材を開いて構成した挟持部を有する、着脱式インデックスを提供するものである。 【選択図】  図１
2018153958.tif 000002
【特許請求の範囲】
【請求項１】
用紙又はフィルムの折り返し部分に介挿して用いるインデックスであって、フィルム状又はシート状の素材に切り込みによる差し込み部を有し、前記素材を開いて構成した挟持部を有する着脱式インデックス。
【請求項２】
前記インデックスは、２枚の前記素材の重ね合わせ接着、又は、１枚の前記素材の折り返し接着により構成され、前記差し込み部は接着部に鉤型の切り込みにより構成され、挟持部は非接着部として構成されていることを特徴とする請求項１記載の着脱式インデックス。
【請求項３】
前記インデックスは、差し込み部を構成する部材と挟持部を構成する部材とを接着し構成され、前記差し込み部は一文字の切り込みにより構成され、挟持部は非接着部として構成されていることを特徴とする請求項１記載の着脱式インデックス。
【請求項４】
前記インデックスは、差し込み部を構成する部材と挟持部を構成する部材の間に中間材を挟んで接着し構成され、前記差し込み部は一文字の切り込みにより構成され、挟持部は非接着部として構成されていることを特徴とする請求項１記載の着脱式インデックス。
【発明の詳細な説明】
【技術分野】
【０００１】
本発明は、着脱可能なインデックスに関する。          
【背景技術】
【０００２】
従来の接着式インデックスは、素材によっては、取り付けが困難であったり、又は取り外した（接着を剥がした）際に汚れが残る等の問題点がある。  例えば封筒やクリアファイル等に見出し等をするには、接着性インデックスを使用する事が出来るが、封筒やクリアファイル等の素材によっては、接着力が十分に達しなかったり、強接着のため取り外しにより汚損することがある。
【先行技術文献】
【非特許文献】
【０００３】
【非特許文献１】コクヨ、タックインデックスhttp://www.kokuyo-st.co.jp/stationery/hakadori/tackindex/index.html
【発明の概要】
【発明が解決しようとする課題】
【０００４】
従来のタックインデックス（コクヨ製）等は、クリアファイルや封筒様の物等に取り付けるには接着力が十分で無く剥がれ落ちてしまったり、他の強粘着性のもので見出しをすると、取り外した際に汚損することがあった。
【課題を解決するための手段】
【０００５】
本発明1は、用紙又は、フィルムの折り返し部分に介挿して用いるインデックスであって、フィルム状又は、シート状の素材に切り込みによる差し込み部を有し、前記素材を開いて構成した挟持部を有する、着脱式インデックスを提供するものである。
【０００６】
本発明２は、本発明１のインデックスにおいて２枚の前記素材の重ね合わせ接着、又は、１枚の前記素材の折り返し接着により構成され、前項差し込み部は、接着部に鉤型の切り込みにより構成され、挟持部は非接着部として構成されている事を特徴とする請求項１記載の着脱式インデックスを提供するものである。
【０００７】
本発明３は、本発明１のインデックスにおいて差し込み部を構成する部材を挟持部を構成する部材で接着し構成され、前記差し込み部は一文字の切り込みにより構成され、挟持部は非接着部として構成されている事を特徴とする請求項１記載の着脱式インデックスを提供するものである。
【０００８】
本発明４は、本発明３のインデックスにおいて差し込み部と挟持部の間に中間材を接着して構成されている事を特徴とする請求項１記載の着脱式インデックスを提供するものである
【発明の効果】
【０００９】
本発明１は、介挿、下懸、挟持することでインデックスをする用紙又はフィルムを汚損することがない。
本発明1の効果に加えて、本発明２は、構成点数が少なく簡便な構造である。
本発明1の効果に加えて、本発明３は、介挿された差し込み部を挟持部が抱合することでより安定を持たせることができる。
本発明1の効果に加えて、本発明４は、差し込み部と挟持部の間にギャップを成すことにより抜き差しを容易にするものである。
【図面の簡単な説明】
【００１０】
【図１】本発明の一形態を示す
【図２】本発明の一形態を示す
【図３】本発明の一形態を示す
【図４】本発明の一形態を示す
【発明を実施するための形態】
【００１１】
以下、本発明の実施の形態を図１、図２、図３、図４に基づいて説明する。
いずれも、挟持部は貼り合わせていない。ただし、挟持部２の内面に粘着を施す、又は、磁性体を取り付ける等、更なる安定を図り、被挟持物を汚損せず取り外す事が容易な形態は可能である。
【００１２】
薄板状であれば素材については、挟持部は要件である可撓性をもつこと、差し込み部は介挿時に折れ曲がらない厚さと強度をもつこと、見出し部本体は書き込み時と下懸使用時に容易に折れ曲がらないこと、などの要件を満たすものがより良い。
【実施例】
【００１３】
以下、添付図面１に従って一実施例を説明する。aは本発明２の一形態を示す、ｂは１枚の紙を折り返し接着する例を示す、cは２枚のポリエチレンシートの重ね合わせ接着の分解図を示す。
ｂの鉤形切り込み線４は接着後、切り込む為のものであり切り込み後は差し込み部１をなす、糊代６はハッチングで表し、挟持部２の内面に粘着７の処理を施している。
cの鉤形切り込み４で形成された差し込み部１も糊代６であるが、挟持部２は素材のままである。
【００１４】
以下、添付図面２に従って一実施例を説明する。aは本発明1の一形態を示す、ｂは１枚のアルミのうす板を折り返し接着する例を示す、cは２枚のポリプロピレンシートの重ね合わせ接着の分解図を示す。
ｂの鉤形切り込み４により形成された差し込み部１の面に、素材のままの挟持部２をなす面を糊代６で接着している。
cの鉤形切り込み４で形成された差し込み部１に、素材のままの挟持部２を構成する為のポリプロピレンシートを糊代６で接着したものである。
【００１５】
以下、添付図面３に従って一実施例を説明する。aは本発明３又は本発明４の一形態を示す、ｂは１枚の差し込み部１を有するAS樹脂シートと１枚の折り返された挟持部２を有するAS樹脂シートを接着する例を示す、cは５枚の木材のうす板重ね合わせ接着の分解図を示す。
ｂの一文字切り込み５で差し込み部１を有するAS樹脂シートを挟持部２を有する１枚の折り返されたAS樹脂シートで挟み包み込み、糊代６で接着し一体となす、挟持部２は素材のままである。
cの一文字切り込み５がある差し込み部１を有する木材のうす板と木材のうす板の中間材９を挟持部２を有する２枚の木材のうす板で挟み込み、糊代６で接着し一体となす、挟持部２は素材のままである。
【００１６】
以下、添付図面４に従って一実施例を説明する。aは本発明３の一形態を示す、ｂは１枚の差し込み部１を有するウレタンシートと１枚の折り返された挟持部２を有するウレタンシートを接着する例を示す、cは３枚のシリコンゴムシートの重ね合わせ接着の分解図を示す。
ｂの一文字切り込み５で差し込み部１を持つウレタンシートを挟持部２を有する１枚の折り返されたウレタンシートで挟み包み込んで、糊代６で接着し一体となす、挟持部２は素材のままである。
cの一文字切り込み５を持つ差し込み部１を有するシリコンゴムシートを挟持部２を有する２枚のシリコンゴムシートで挟み込み、糊代６で接着し一体となす、挟持部２に磁性体８を施してある。
【符号の説明】
【００１７】
１…差し込み部
２…挟持部
３…見出し部
４…鉤形切り込み又は、鉤形切り込み線
５…一文字切り込み
６…糊代
７…粘着
８…磁性体
９…中間材
【図１】
2018153958.tif 000003
【図２】
2018153958.tif 000004
【図３】
2018153958.tif 000005
【図４】
2018153958.tif 000006